(57)【要約】【課題】この離脱型スライドファスナーを使用したズボン吊りは、肩から下げるベルトの上部（２）の部分と、ズボンを取り付ける下部（３）の部分とに機能を二分する。そして、離脱型スライドファスナー（１）にて接合、開閉により繋げる事によりズボン吊りを構成する。【解決手段】ズボン吊りの上部を肩に吊れば、上着を着ても容易にズボンを履く事が出来る、ズボン吊りの下部をズボンに取り付けて、ズボンを履き腹の前で離脱型スライドファスナーを接合させ、ファスナーのスライド器を背部へスライドさせて閉じれば簡便にズボンを着用する事が出来る。又、ズボンのチャックを下ろしてを開き、ズボン吊りの離脱型ファスナーをスライド器で開くだけで、ズボン吊りの上部の背面がずれ上がり、ズボンと共に前面が下がり、そして、ズボンの後方が更に大きく下がって尻を出し用足す事が出来る。【選択図】  図１
2004176241.tif 000002
【特許請求の範囲】
【請求項１】
離脱型スライドファスナー（１）を使用してズボン吊りの肩に下げる上部（２）と、ズボンを取り付ける下部（３）とに、機能を分離し設けたことを特徴とする離脱型スライドファスナーを使用したズボン吊り。
【請求項２】
離脱型スライドファスナーの接合部（４）をズボン吊りの前側のベルト（１４）の先の取り付け金具（６）の上の位置に、そして、ファスナーの閉じ終り（５）をズボン吊りの後側のベルトの先の取り付け金具（９）の上の位置に離脱型スライドファスナー（１）を、左右に、二個所設置することを特徴とする請求項１記載の離脱型スライドファスナーを使用したズボン吊り。
【発明の詳細な説明】
【０００１】
【発明の属する技術分野】
この発明は、通常型のズボンのズボン吊りの形状に関する．
【０００２】
【従来の技術】
従来のズボン吊りはの形状は、（図２）に示すように、肩から下げるベルト（１４）の先の取り付け金具（６）（９）等にてズボン（１８）の前後に取り付けて、ズボンとズボン吊り（１７）を一体化して使用する。
そして、ズボンを履く時はズボンにズボン吊りを取り付けてから、ズボンに足を入れてズボン吊りを肩に掛けて使用することに成る。
【０００３】
【発明か解決しようとする課題】
しかし、ながら以上の従来の技術によれば、ズボン吊りを肩に掛けた上に、上着を着る事が多い、その為、ズボンを脱ぐ履く時や、ズボンを下げて用足しする時などは、上着を脱いで、肩よりズボン吊りを外して行なう事になり、不便で手間が掛かる。
そこで、この発明は  上着を着ていてもズボンを簡便に脱ぎ、履き、着用出来るズボン吊りを提供すること。
【０００４】
又、ズボン吊りを肩から外さず、又、ズボン吊りからズボンを外す事なく尻を出し、用足し出来るズボン吊りを提供することを課題とする。
【０００５】
【課題を解決するための手段】
以上の課題を解決するために、請求項１の発明は、離脱型スライドファスナー（１）を使用してズボン吊りの肩に下げる上部（２）と、ズボンを取り付ける下部（３）とに、機能を分離し設けたことを特徴とする離脱型スライドファスナーを使用したズボン吊り。
【０００６】
。また、請求項２の発明は、離脱型スライドファスナーの接合部（４）をズボン吊りの前側のベルト（１４）の先の取り付け金具（６）の上の位置に、そして、ファスナーの閉じ終り（５）を、ズボン吊りの後側のベルト（１４）の先の取り付け金具（９）の上の位置に離脱型スライドファスナー（１）を、左右に二個所設置することを特徴とする、離脱型スライドファスナーを使用したズボン吊り。
【０００７】
【発明の実施の形態】
この発明の一実施形態を、図１に示す。
ズボン吊りの上部の後面（８）は吊りベルト（１４）を交差金具（１１）でクロスさせ二本に分けて吊る、又、ズボン吊りの上部の前面（７）の胸あたりにベルト（１４）の長さを調整するスライドバックル（１２）を設ける。
離脱型スライドファスナーの接合部（４）はズボン吊りの前側のベルト（１４）の先の取り付け金具（６）の上の位置に、そして、ファスナーの閉じ終り（５）を、ズボン吊りの後側のベルト（１４）の先の取り付け金具（６）の上の位置に、離脱型スライドファスナー（１）を横腹の左右に二個所設置する。
そして、離脱型スライドファスナー（１）を使用してズボン吊りの肩に下げる上部（２）とズボンを取り付ける下部（３）とに分離する。
離脱型スライドファスナー（１）はスライド器（１０）で接合部（４）まで開くと離脱しやすいのでホックボタン（１３）を設置する。
【０００８】
【実施形態の効果】
この実施形態によれば、離脱型スライドファスナーを使用したズボン吊りは、ズボン吊りの上部（２）を肩に吊れば上着を着ても容易にズボンを履く事が出来る、ズボン（１８）にズボン吊りの下部（３）を取り付けて，ズボンを履き，腹の前で離脱型スライドファスナーを接合させ、ファスナーのスライド器（１０）を背部へスライドさせて閉じるだけで簡便にズボンを着用する事が出来る。
【０００９】
又、ズボンのチャック（１５）を下げて前を開け、ズボン吊りの離脱型スライドファスナー（１）をスライド器（１０）で腹の前まで開くだけで、ズボン吊りの上部（２）の背面がずれ上がり、ズボン（１８）と共に前面が下がり、ズボンの後方が更に大きく下がって尻を出し、用足す事が出来る、そして、ズボンが落ちない、利点のあるズボン吊りである。
【００１０】
【他の実施形態】
ズボン吊りの上部（２）をベスト型の形状デザインにする事により、ベストの裏側に離脱型スライドファスナーからズボンの取り付け金具（６）（９）（１６）まで隠すことが出来る。
ベストの裏側に離脱型スライドファスナーの上部（７）を取り付ける、そして、ホックボタンはベストの裏側とズボン吊りの下部の離脱型スライドファスナーの下部（８）の接合部の近くに設置する。
又、ベストの前側は従来からの形状デザインで好いが、後側は襟刳を大きく背中まで明ける、そして、袖ぐりは離脱型スライドファスナー上部（７）の後半部分の上まで大きく明ける。
又、ベストの背丈とズボンの吊り位置を調整するには後側の吊りの部分をベルトにし、そこにスライドバックル（１２）を設ける。
【００１１】
【発明の効果】
以上説明したように、この発明によれば、離脱型スライドファスナーを組み込んだズボン吊りはズボンを簡便に着用、履き替え出来、また、尻を出して用足しが簡便に出来るズボン吊りである。
【図面の簡単な説明】
【図１】この発明の一実施形態を示す斜視図
【図２】従来技術を示す斜視図
【符号の説明】
１  離脱型スライドファスナー
２  ズボン吊りの上部
３  ズボン吊りの下部
４  離脱型スライドファスナー接合部
５  離脱型スライドファスナー閉じ終り位置
６  前面のズボンの取り付け金具
７  ズボン吊り上部のファスナーの片側
８  ズボン吊り下部のファスナーの片側
９  後面のズボンの取り付け金具
１０  ファスナーのスライド器
１１  交差金具
１２  スライドバックル
１３  ホックボタン
１４  ズボン吊りのベルト
１５  ズボンのチャック
１６  ズボンの取り付け金具
１７  ズボン吊り
１８  ズボン
【図１】
2004176241.tif 000003
【図２】
2004176241.tif 000004
【手続補正書】
【提出日】平成15年1月14日(2003.1.14)
【手続補正１】
【補正対象書類名】図面
【補正対象項目名】図１
【補正方法】変更
【補正の内容】
【図１】
2004176241.tif 000005
【手続補正書】
【提出日】平成15年4月18日(2003.4.18)
【手続補正１】
【補正対象書類名】図面
【補正対象項目名】図１
【補正方法】変更
【補正の内容】
【図１】
2004176241.tif 000006
【手続補正２】
【補正対象書類名】図面
【補正対象項目名】図２
【補正方法】変更
【補正の内容】
【図２】
2004176241.tif 000007
【手続補正書】
【提出日】平成15年6月23日(2003.6.23)
【手続補正１】
【補正対象書類名】明細書
【補正対象項目名】０００７
【補正方法】変更
【補正の内容】
【０００７】
【発明の実施の形態】
この発明の−実施形態を、図１に示す。
ズボン吊りの上部の後面は吊りベルト（１４）を交差金具（１１）でクロスさせ二本に分けて吊る、又、ズボン吊りの上部の前面の胸あたりにベルト（１４）の長さを調整するスライドバックル（１２）を設ける。
離脱型スライドファスナーの接合部（４）はズボン吊りの前側のベルト（１４）の先の取り付け金具（６）の上の位置に、そして、ファスナーの閉じ終り（５）を、ズボン吊りの後側のベルト（１４）の先の取り付け金具（９）の上の位置に、離脱型スライドファスナー（１）を横腹の左右に二個所設置する。
そして、離脱型スライドファスナー（１）を使用してズボン吊りの肩に下げる上部（２）とズボンを取り付ける下部（３）とに分離する。
離脱型スライドファスナー（１）はスライド器（１０）で接合部（４）まで開くと離脱しやすいのでホックボタン（１３）を設置する。